(57)【特許請求の範囲】
【請求項１】
壁紙に塗布する糊を貯留する糊箱と、前記糊箱を装着し、壁紙を搬送して糊を塗布するための複数のローラーを有する本体部と、前記本体部の複数のローラーを駆動するモーターの制御や壁紙の測長などを行う制御装置を備える、自動壁紙糊付機であって、前記制御装置に光源を設け、前記糊箱に正面窓と側面窓を設け、前記光源から照射された光が前記糊箱の前記側面窓から前記糊箱の内部に入射し、前記糊箱の前記正面窓から前記糊箱の外部へ出射するように、前記光源の光軸を向けることにより、前記正面窓に投影される糊の断面の、糊の液面高さの位置に、光の明暗の境界を顕現させることを特徴とする自動壁紙糊付機。
【請求項２】
前記制御装置を前記本体部に係止した場合に、前記制御装置の前記本体部のフレームと向かい合う面に前記光源を配置し、前記本体部のフレームに、前記光源から照射された光を貫通させる導光孔を設け、前記糊箱が前記本体部に装着され、前記制御装置が前記本体部に係止され、前記光源が点灯された場合に、前記光源から照射された光が前記導光孔を通過し、前記糊箱の前記側面窓から前記糊箱の内部に入射するようにしたことを特徴とする前記請求項１の自動壁紙糊付機。
【請求項３】
前記糊箱が前記本体部に装着された場合に、前記本体部のフレームの、前記糊箱と向かい合う面に前記光源を配置し、前記糊箱が前記本体部に装着され、前記光源が点灯された場合に、前記光源から照射された光が、前記糊箱の前記側面窓から前記糊箱の内部に入射するようにしたことを特徴とする前記請求項２の自動壁紙糊付機。
【請求項４】
前記光源は、赤青緑の三色発光ＬＥＤであり、パルス幅変調により、前記光源から照射される光の色を変えることを特徴とする前記請求項２、または、前記請求項３の自動壁紙糊付機。  
【請求項５】
前記糊箱の前記正面窓に、前記糊箱に貯留された糊の量を液面高さで表した「制御領域下限高さＨｌ」の位置と、「制御領域上限高さＨｈ」の位置に、目盛り線を設けたことを特徴とする前記請求項２、または、前記請求項３の自動壁紙糊付機。  
【発明の詳細な説明】
【技術分野】
【０００１】
本発明は、自動壁紙糊付機において、糊箱に貯留されている糊の状態を目視する場合の、視認性を向上させるものであり、糊の液面の高さを認識しやすくするためのものである。
【背景技術】
【０００２】
従来、部屋の内装施工の際に、壁紙Ａの原反ロールから引き出した壁紙Ａに糊箱（３）内の糊Ｂをローラーによって自動的に塗布することのできる自動壁紙糊付機（１）は公知である。
図１０と図９に示すように、自動壁紙糊付機（１）は、壁紙Ａを原反ロールから引き出し自動壁紙糊付機（１）の内部に送り込むための送り出しローラー（１１）と検尺ローラー（１２）、糊Ｂを塗布するための糊付ローラー（１４）、塗布する糊Ｂの厚みを規定するドクターローラー（１３）、糊Ｂを塗布した後の壁紙Ａの裏面を均すためのナラシローラー（１５）、壁紙Ａを糊付ローラー（１４）に押さえつける為の、ハイテンションローラー（図示せず）、押さえローラー（図示せず）等が設けられている本体部（２）と、
貯留している糊Ｂをくみ上げて本体部（２）の糊付ローラー（１４）に伝達する糊上ローラー（１０）が設けられ、本体部（２）に収容可能で脱着できる糊箱（３）と、
本体部（２）の送り出しローラー（１１）等を駆動し、糊付けされた壁紙Ａの長さの測長など、自動壁紙糊付機（１）全体の制御をするための制御装置（４）と、本体部（２）を乗せて自動壁紙糊付機（１）を移動させるための脚部（５）と、壁紙Ａの両側端を裁断するためのスリッター（６）からなる。
【０００３】
また、自動壁紙糊付機（１）には、表示操作部（７）やモーター（２０）（図１、および図４参照）などを内部に設けた制御装置（４）を、本体部（２）の左側フレーム（２５）に脱着自在に係止される形態のもの（図４参照）と、本体部（２）の上面に表示操作部（７）が設けられ、モーター（２０）が本体部（２）の左側フレーム（２５）に設けられている形態のもの（図５参照）がある。図１０は、制御装置（４）が本体部（２）の左側フレーム（２５）に脱着自在に係止される形態のものである。
【０００４】
また、糊付け作業に伴い減少した糊Ｂを補充するため、自動糊付機本体（１）とは別体の糊供給装置（図示せず）から必要量の糊Ｂを自動供給する自動供給機構が備えられたものもある。
【０００５】
作業者は、道具箱などを利用し、自動壁紙糊付機（１）の正面（壁紙が排出される側）に座り、制御装置（４）に設けられた表示操作部（７）から、長さと枚数などを設定して、糊付けを行う。
【先行技術文献】
【特許文献】
【０００６】
【特許文献１】特許第５０９２０９６号公報
【０００７】
【特許文献２】特開２０００−２１０６０６号公報
【発明の開示】
【発明が解決しようとする課題】
【０００８】
特許第５０９２０９６号公報に示す自動壁紙糊付機（１）は、自動供給機構が備えられたものであり、糊供給装置（図示せず）を接続して、壁紙Ａに塗布されて減少する糊量分の糊Ｂを自動補充しながら糊付けを実行するものである。
自動供給機構が備えられた自動壁紙糊付機（１）では、図９に示すように、糊箱（３）に貯留されている糊Ｂの量を糊Ｂの液面高さで表し、壁紙Ａに糊Ｂがかすれて塗布される状態の糊量の時の液面高さを「糊切れ高さＨｅ」とし、これ以上糊Ｂを補充すると溢れる状態の時の液面高さを「満タン高さＨｆ」とし、「糊切れ高さＨｅ」よりもやや多い状態の液面高さを「制御領域下限高さＨｌ」とし、「満タン高さＨｆ」よりもやや少ない状態の液面高さを「制御領域上限高さＨｈ」と定めている。
【０００９】
自動供給機構が備えられた自動壁紙糊付機（１）の制御装置（４）の演算部（特許文献１の図３参照）は、検尺パルスから糊付けした壁紙の長さを求めて、糊Ｂの減少量を算出して、糊箱（３）に貯留されている糊Ｂの液面高さを推定し、糊供給装置（図示せず）を予め定めた時間だけ起動させて減少量分の糊Ｂを補充し、糊箱（３）に貯留されている糊Ｂの量を「制御領域下限高さＨｌ」以上「制御領域上限高さＨｈ」以下に保ちながら糊付けを実行するものである。
【００１０】
しかし、内装施工現場の電源電圧の変動により、糊供給装置（図示せず）が補充する糊Ｂの単位時間当たりの補充量が変動することがあり、制御装置（４）の演算部が推定する液面高さと実際の液面高さに差異が生じる場合がある。差異が生じた場合、糊付け動作を一時中断して、作業者が糊箱（３）の内部の糊Ｂの液面高さを目視して、「制御領域下限高さＨｌ」よりも下であれば、「不足スイッチ」を押して、糊供給装置（図示せず）を起動させて糊Ｂを補充し、液面高さが「制御領域上限高さＨｈ」に達したら停止させて、手動操作により糊量の補正の為の補充操作を行う必要がある。
【００１１】
特許第５０９２０９６号公報に示す自動壁紙糊付機（１）では、手動による補充操作を行う際に作業者は、糊箱の糊Ｂの状態を目視するために、自動壁紙糊付機（１）の上面の左右端から覗き込むのであるが、複数のローラーの軸があり、軸によって分断された隙間から覗き込むので、目視できる範囲が狭いので、糊Ｂの状態を正確に認識することが困難である。また、上から覗き込んだ場合、糊Ｂの液面の高さを認識するのが困難である。
という課題を有している。
【００１２】
また、特開２０００−２１０６０６号公報に示す自動壁紙糊付機（１）は、糊箱（３）に窓が設けてあるものであるが、自動壁紙糊付機（１）の上面には糊付け途中の壁紙Ａがあるので、糊箱（３）の内部に光が入らないので糊箱の中が暗いことにより液面高さを正確に認識することが困難である。という課題を有している。
【００１３】
また、特許第５０９２０９６号公報に示す自動壁紙糊付機（１）においても、特開２０００−２１０６０６号公報に示す自動壁紙糊付機（１）においても、糊箱（３）に貯留されている糊Ｂは、糊箱（３）の内側の壁面に、液面よりもやや上まで付着しているので、糊Ｂの液面高さが糊箱（３）の側面に対してどの位置にあるのかを認識するのが困難である。という課題を有している。
【課題を解決するための手段】
【００１４】
壁紙Ａに塗布する糊Ｂを貯留する糊箱（３）と、糊箱（３）を装着し、壁紙Ａを搬送して糊Ｂを塗布するための複数のローラーを有する本体部（２）と、本体部（２）の複数のローラーを駆動するモーター（２０）の制御や壁紙Ａの測長などを行う制御装置（４）を備える、自動壁紙糊付機であって、制御装置（４）に光源（２３）設け、糊箱（３）に正面窓（８）と側面窓（９）を設け、光源（２３）から照射された光が糊箱（３）の側面窓（９）から糊箱（３）の内部に入射し、糊箱（３）の正面窓（８）から糊箱（３）の外部へ出射するように、光源（２３）の光軸Ｃを向けることにより、正面窓（８）に投影される糊Bの断面の、糊Ｂの液面高さの位置に、光の明暗の境界を顕現させることを特徴とする。
【００１５】
制御装置（４）を本体部（２）に係止した場合に、制御装置（４）の本体左側フレーム（２５）と向かい合う面に光源（２３）を配置し、本体左側フレーム（２５）に、光源（２３）から照射された光を貫通させる導光孔（２９）を設け、糊箱（３）が本体部（２）に装着され、制御装置（４）が本体部（２）に係止され、光源（２３）が点灯された場合に、光源（２３）から照射された光が導光孔（２９）を通過し、糊箱（３）の側面窓（９）から糊箱（３）の内部に入射するようにしたことを特徴とする。
【００１６】
糊箱（３）が本体部（２）に装着された場合に、本体左側フレーム（２５）の、糊箱（３）と向かい合う面に光源（２３）を配置し、糊箱（３）が本体部（２）に装着され、光源（２３）が点灯された場合に、光源（２３）から照射された光が、糊箱（３）の側面窓（９）から糊箱（３）の内部に入射するようにしたことを特徴とする。
【００１７】
光源（２３）は、赤青緑の三色発光ＬＥＤであり、パルス幅変調により、光源（２３）から照射される光の色を変えることを特徴とする。
【００１８】
糊箱（３）の正面窓（８）に、糊箱（３）に貯留された糊Ｂの量を液面高さで表した「制御領域下限高さＨｌ」の位置と、「制御領域上限高さＨｈ」の位置に、目盛り線を設けたことを特徴とする。
【発明の効果】
【００１９】
壁紙に塗布する糊を貯留する糊箱と、糊箱を装着し、壁紙Ａを搬送して糊Ｂを塗布するための複数のローラーを有する本体部と、本体部の複数のローラーを駆動するモーターの制御や壁紙Ａの測長などを行う制御装置を備え、制御装置に光源設け、糊箱に正面窓と側面窓を設け、光源から照射された光が糊箱の側面窓から糊箱の内部に入射し、糊箱の正面窓から糊箱の外部へ出射するように、光源の光軸を向けることにより、糊箱の内部が明るくなり、貯留された糊の断面を直接目視できるので糊の状態を認識しやすい。
また、正面窓に投影される糊の断面の、液面高さの位置に、光の明暗の境界を顕現させるので、糊箱に貯留されている糊の液面高さの位置を認識しやすい。
【００２０】
制御装置の、制御装置を本体部に係止された場合に本体左側フレームと向かい合う面に光源を配置し、本体左側フレームに、光源から照射された光を貫通させる導光孔を設け、
糊箱が本体部に装着され、制御装置が本体部に係止され、光源が点灯された場合に、光源から照射された光が導光孔を通過し、糊箱の側面窓から糊箱の内部に入射するようにしているので、本体左側フレームに、光源から照射された光が本体左側フレームを貫通させる導光孔を設けたことにより、糊箱には電気部品を実装する必要はなく、糊箱を洗う際や本体部を洗浄する際に、光源に水がかかることはないので、防水処理を施す必要がなく、
低価格で製造できる。
【００２１】
糊箱が本体部に装着された場合に、本体左側フレームの、糊箱と向かい合う面に光源を配置し、糊箱が本体部に装着され、光源が点灯された場合に、光源から照射された光が、糊箱の側面窓から糊箱の内部に入射するようにしているので、糊箱には電気部品を実装する必要はなく、糊箱を洗う際や本体部を洗浄する際に、光源に水がかかることはないので、防水処理を施す必要がなく、低価格で製造できる。
【００２２】
光源は、赤青緑の三色発光ＬＥＤであり、パルス幅変調により、光源から照射される光の色を変えることにより、正面窓に投影される糊の断面の、糊箱の内側に付着している部分を、糊の種類に応じた見やすい色に染めるので、糊の種類が異なっても、糊の液面高さの位置を認識しやすい。
【００２３】
糊箱の正面窓に、糊箱に貯留された糊の量を液面高さで表した「制御領域下限高さＨｌ」の位置と、「制御領域上限高さＨｈ」の位置に、目盛り線が設けられているので、糊箱の正面窓に投影された糊の断面の光の明暗の境界が、「制御領域上限高さＨｈ」の目盛り線より上にあれば糊過多、「制御領域下限高さＨｌ」の目盛り線より下にあれば糊不足であると認識できる。
【図面の簡単な説明】
【００２４】
【図１】図１は、本発明の自動壁紙糊付機（１）の構成を説明するためのブロック図である。
【図２】図２は、本発明の糊箱（３）を説明するための図である。
【図３】図３は、本発明の光源（２３）と光源制御部（２２）を説明するための図である。
【図４】図４は、制御装置（４）が本体部（２）の左側フレーム（２５）に脱着自在に係止される形態の自動壁紙糊付機（１）における、光源（２３）と光源ハーネス（４１）の架設を説明するための図である。
【図５】図５は、表示操作部が本体部（２）の中央上部に配置される形態の自動壁紙糊付機（１）における、光源（２３）と光源ハーネス（４１）の架設を説明するための図である。
【図６】図６は本発明の糊箱（３）を本体部（２）に装着した場合の、光源（２３）の光軸を説明するための図であり、（a）は、制御装置（４）が本体部（２）の左側フレーム（２５a）に脱着自在に係止される形態の場合の上から見た図であり、（b）は、表示操作部（７）が本体部（２）の中央上部に配置される形態の場合の上から見た図であり、（c）は、高さ方向の、第１ＬＥＤ（３８）、および第２ＬＥＤ（３９）の位置と、制御領域下限高さ位置目盛り（２７）と、制御領域上限高さ位置目盛り（２８）の位置関係を説明するための図である。
【図７】図７は、本発明の自動壁紙糊付機（１）を使って糊付け作業を行っている様子を説明するための図である。
【図８】図８は、本発明の自動壁紙糊付機（１）を使って糊付け作業を行っている時の、糊箱（３）に貯留されている糊Ｂの状態を説明するための図であり、（a）は側面断面であり、（b）は正面窓（８）に投影された糊Ｂを説明するための図である。
【図９】図９は、従来技術の自動壁紙糊付機（１）を使って糊付け作業を行っている時の、糊箱（３）に貯留されている糊Ｂの状態と、本体部（２）の複数のローラーの位置関係を説明するための図である。
【図１０】図１０は、従来技術の自動壁紙糊付機（１）を使って糊付け作業を行っている様子を説明するための図である。
【発明を実施するための最良の形態】
【００２５】
図１に本発明の自動壁紙糊付機（１）のブロック図を示す。
本体部（２）には、壁紙Ａを挟み込んで測長しながら搬送するための送り出しローラー（１１）と検尺ローラー（１２）、糊Ｂを塗布する糊付けローラー（１４）、塗布する糊Ｂの厚みを定めるドクターローラー（１３）、糊Ｂが塗布された壁紙Ａの裏面を均すナラシローラー（１５）、壁紙Ａを糊付けローラー（１４）へ押しつけるためのハイテンションローラー（図示せず）と押さえローラー（図示せず）があり、これら複数のローラーは左右一対のフレーム（２５）により軸支されている。各ローラーの配置は図９に示したものと同じである。
【００２６】
また、左右一対のフレーム（２５）には、糊箱（３）を収容して保持するための左右一対の糊箱ガイド（２６）と糊箱受け（４１）が設けられている。
【００２７】
また、本体部（２）には壁紙Ａの幅方向を裁断するためのスリッター（６）が装着されている。（図７参照）
【００２８】
糊箱（３）の内部には、図２に示す様に、糊Ｂをくみ上げて糊付けローラー（１４）へ転写するための糊上げローラー（１０）が設けられており、糊箱（３）を本体部（２）に装着して保持された場合に、糊上げローラー（１０）は糊付けローラー（１４）の下方に、予め設定された隙間を空けて位置される。
【００２９】
また、糊箱（３）の正面側（壁紙が排出される側）には正面窓（８）が設けられており、
側面側には側面窓（９）が設けられている。
【００３０】
制御装置（４）は、自動壁紙糊付機（１）を操作するための表示操作部（７）、壁紙Ａを測長するための検尺部（１７）、送り出しローラー（１１）等を駆動するモーター（２０）、モーター（２０）の速度制御を行うモーター制御部（１９）、自動壁紙糊付機（１）とは別体の糊供給装置（図示せず）を制御する糊供給装置制御部（２１）、設定値や制御パラメータを記憶する記憶部（１８）、ワンチップマイコンなどからなる演算部（１６）、ＲＧＢ三色ＬＥＤからなる光源（２３）、光源（２３）の色調を制御する光源制御部（２２）からなる。
【００３１】
光源制御部（２２）は、パルス幅変調により、第１LED（３８）、および第２LED（３９）の内部の赤、緑、青の三色の発光ダイオード素子に通電する平均電流の割合を変えることにより、第１LED（３８）、および第２LED（３９）の発光色を変える電子回路である。
【００３２】
また、自動壁紙糊付機（１）の形態には、表示操作部（７）が、本体部（２）の、作業者から見て左側に配置されている形態のもの（図４参照）と、表示操作部（７）が本体部（２）の中央に配置されている形態のもの（図５参照）がある。
表示操作部（７）が、本体部（２）の、作業者から見て左側に配置されている形態のものでは、モーター（２０）と光源（２３）も含み、制御装置（４）を構成する全ての部品は、制御装置カバー（４２）とモーターベース（３０）で囲まれた、本体部（２）とは別体の制御装置（４）として構成されており、制御装置（４）はモーターベース（３０）に設けられた係止具（３２）により、本体部（２）の左側フレーム（２５）に着脱自在に取り付けられる。（図４参照）
また、表示操作部（７）が本体部（２）の中央に配置されている形態のものでは、モーター（２０）と光源（２３）は、本体部（２）の左側フレーム（２５）に取り付けられており、本体側面カバー（４３）と左側フレーム（２５）で囲まれている。（図５参照）
【００３３】
図２を用いて本発明の糊箱（３）を説明する。糊箱（３）が自動壁紙糊付機（１）の本体部（２）に装着された時に、自動壁紙糊付機（１）の正面（壁紙Ａが排出される側）となる面に正面窓（８）を設け、糊箱（３）の左側面の、糊上げローラー（１０）の軸（図示せず）の軸受け（図示せず）よりも正面側（壁紙Ａが排出される側）に側面窓（９）を設けている。
【００３４】
正面窓（８）と側面窓（９）は無色透明の塩ビ材料を使用して、光源（２３）から照射された光が透過するようにしている。
【００３５】
また、正面窓（８）の表面には、特許第５０９２０９６号公報の図２に示されている、
糊箱（３）に貯留されている糊Ｂの量を糊Ｂの液面高さで表した、壁紙Ｂがかすれて塗布される状態の糊量の時の液面高さを「糊切れ高さＨｅ」とし、これ以上糊Ｂを補充すると溢れる状態の時の液面高さを「満タン高さＨｆ」とし、「糊切れ高さＨｅ」よりもやや多い状態の液面高さを「制御領域下限高さＨｌ」とし、「満タン高さＨｆ」よりもやや少ない状態の液面高さを「制御領域上限高さＨｈ」と定めた、「制御領域下限高さＨｌ」の位置に制御領域下限高さ位置目盛り（２７）を設け、「制御領域上限高さＨｈ」の位置に制御領域上限高さ位置目盛り（２８）を設けている。
【００３６】
制御領域下限高さ位置目盛り（２７）と制御領域上限高さ位置目盛り（２８）の目盛りは、糊箱（３）の正面窓（８）の左端から入れ、横方向には全幅に渡って入れるのではなく、幅の約２／３には目盛りは入れていない。
【００３７】
図３（a）に、光源（２３）と光源制御部（２２）の等価回路を示す。
光源制御部（２２）はパルス幅変調により、光源（２３）の発光ダイオード素子Ｒと発光ダイオード素子Ｇと発光ダイオード素子Ｂに通電する平均電流の割合を可変することにより、第１ＬＥＤ（３８）および、第２ＬＥＤ（３９）が発光する発光色を可変する。
【００３８】
図３（b）に、第１ＬＥＤと第２ＬＥＤをプリント基板に実装した光源（２３）を示す。
第１ＬＥＤおよび、第２ＬＥＤは、赤色発光ダイオード素子Ｒと緑色発光ダイオード素子Ｇと青色発光ダイオード素子Ｂが１つのレンズパッケージに内蔵されたＲＧＢ三色発光ＬＥＤであり、それぞれの発光ダイオード素子に通電する電流を可変することにより発光色と明るさを可変できるものである。本発明の光源（２３）では２個のＲＧＢ三色発光ＬＥＤを縦に並べて光源基板（４０）に実装し、先端にコネクタ（４５）を付けた光源ハーネス（３４）により、光源制御部（２２）に接続して通電している。
【００３９】
図４を用いて、表示操作部（７）や演算部（１６）やモーター（２０）などと光源（２３）が、制御装置カバー（４２）とモーターベース（３０）の中に実装された、本体部（２）とは別体の制御装置（４）として、自動壁紙糊付機（１）の本体左側フレーム（２５）の左側に着脱自在に設けられた形態の自動壁紙糊付機（１）における、光源（２３）の取り付け方を説明する。
制御装置（４）が本体部（２）のモーターベース受け板（３５）に係止された時に、
モーターベース受け板（３５）に当接する、制御装置（４）のモーターベース（３０）に楕円形の孔（図示せず）を設け、モーターベース（３０）の内側に光源基板（４０）を取り付け、第１LED（３８）と第２LED（３９）の上にかぶせるように透明材質の光源カバー（３３）を取り付けており、外部から水が侵入しない構造としている。
【００４０】
また、光源基板（４０）に半田付けされている光源ハーネス（３４）の光源ハーネスコネクタは、表示操作部（７）の背面に実装された制御基板（図示せず）の光源制御部（２２）のコネクタ（図示せず）に接続され、第１LED（３８）と第２LED（３９）は、  パルス幅変調により点灯される。
【００４１】
また、モーターベース受け板（３５）と本体左側フレーム（２５）の間の空間部には、第１LED（３８）と第２LED（３９）から照射された光を通すための導光孔（２９）が設けられており、導光孔（２９）のモーターベース受け板（３５）の面には無色透明の導光孔カバー（３６a）が設けられ、本体左側フレーム（２５）の面には無色透明の導光孔カバー（３６b）が設けられており、外部から水が侵入しない構造としている。
【００４２】
また、本体部（２）に装着された糊箱（３）は、左右一対の糊箱ガイド（２６）と左右一対の糊箱受け（４１）により前後方向、左右方向、上下方向に、位置決めされ保持される構造であるので、自動壁紙糊付機（１）が糊付け動作の実行中に、第１LED（３８）の位置と第２LED（３９）の位置と正面窓（８）の位置と側面窓（９）の位置にずれが生じることはない。（図４では左側のみの糊箱ガイド（２６）と糊箱受け（４１）を図示していいるが、右側にも同様のものが設けられている）。
【００４３】
図５を用いて、表示操作部（７）や演算部（１６）などが自動壁紙糊付機（１）の中央に配置され、モーター（２０）が本体左側フレーム（２５）に配置されている形態の自動壁紙糊付機（１）における、光源（２３）の取り付け方を説明する。
本体部（２）の本体左側フレーム（２５）に、楕円形の孔（図示せず）を設け、内側に光源基板（４０）を取り付け、第１LED（３８）と第２LED（３９）の上にかぶせるように透明材質の光源カバー（３３）を取り付けており、外部から水が侵入しない構造としている。
【００４４】
また、光源基板（４０）に半田付けされている光源ハーネス（３４）は、モーター（２０）のモーターハーネス（４４）と平行して、下部後方ステー（３７）の空洞部に通して架設され、自動壁紙糊付機（１）の中央に配置された表示操作部（７）の背面に実装された制御基板（図示せず）の光源制御部（２２）のコネクタ（図示せず）に接続され、第１LED（３８）と第２LED（３９）は、パルス幅変調により点灯される。
【００４５】
また、本体部（２）に装着された糊箱（３）は、左右一対の糊箱ガイド（２６）と左右一対の糊箱受け（４１）により前後方向、左右方向、上下方向に、位置決めされ保持される構造であるので、自動壁紙糊付機（１）が糊付け動作の実行中に、第１LED（３８）の位置と第２LED（３９）の位置と正面窓（８）の位置と側面窓（９）の位置にずれが生じることはない。（図５では左側のみの糊箱ガイド（２６）と糊箱受け（４１）を図示していいるが、右側にも同様のものが設けられている）。
【００４６】
図６を用いて本発明の糊箱（３）が、自動壁紙糊付機（１）の本体部（２）に装着された場合の、光源（２３）の光軸Ｃと正面窓（８）と側面窓（９）との位置関係を説明する。
図６（a）  は、表示操作部（７）や演算部（１６）やモーター（２０）などと光源（２３）が実装された制御装置（４）が、本体左側フレーム（２５）に係止される形態の自動壁紙糊付機（１）の場合であり、
制御装置（４）が、本体左側フレーム（２５）に係止された時、光源（２３）から照射された光が、本体左側フレーム（２５）に内設された導光孔（２９）を通過して、糊箱（３）側面窓（８）から糊箱（３）の内部に入射し、正面窓（８）から糊箱（３）の外部へ出射するように、光源（２３）の光軸Ｃが向けられている。
【００４７】
図６（b）は、表示操作部（７）や演算部（１６）などが本体部（２）の中央に配置され、モーター（２０）が本体左側フレーム（２５）に取り付けられた形態の自動壁紙糊付機（１）の場合であり、本体左側フレーム（２５）に取り付けられた光源（２３）から照射された光が、糊箱（３）の側面窓（８）から糊箱（３）の内部に入射し、正面窓（８）から糊箱（３）の外部へ出射するように、光源（２３）の光軸Ｃが向けられている。
【００４８】
図６（c）に、光源（２３）と正面窓（８）の高さ方向の位置関係を示す。
糊箱（３）が本体部（２）に収容された時、第１LED（３８）の光軸Cは制御領域上限高さ位置目盛り（２８）よりもやや上方で、第２LED（３９）の光軸Cは制御領域下限高さ位置目盛り（２７）よりもやや上方に位置している。
このような位置にすることにより、糊Ｂが満タン高さまで貯留されている場合には、第１LED（３８）によって糊Ｂの内壁付着糊Ｅの部分を照らし、また、糊Ｂが糊切れ高さまで貯留されている場合には、第２LED（３９）によって糊Ｂの内壁付着糊Ｅの部分を照らし、糊Ｂの貯留量が満タン高さの位置にある場合でも、糊切れ高さの位置にある場合でも、光源（２３）から照射された光が内壁付着糊Ｅの部分を十分に照らすようにできる。
【００４９】
図７を用いて、本発明の自動壁紙糊付機（１）を用いて糊付け作業をする際の糊箱（３）に貯留された糊Bの見え方を説明する。
まず、糊付け作業の事前準備として作業者は、糊箱（３）を自動壁紙糊付機（１）の本体部（２）に装着し、表示操作部（７）により、使用する糊の種類がβノーリNEO（本出願人が販売する糊の商品名）であるのか、プロフィット（本出願人が販売する糊の商品名）であるのかを制御装置（４）に設定し、表示操作部（７）に設けられている光源（２３）を点灯させるスイッチ（図示せず）を押して光源（２３）を点灯させる。
そして、糊供給装置（図示せず）などを用いて糊箱（３）に糊Bを貯留させ、壁紙Aを自動壁紙糊付機（１）の経路にセットし、長さと枚数を設定し、糊付けスタートさせ、
制御装置（４）が本体部（２）の複数のローラーを回転させて糊付け動作中に、あるいは、一枚の糊付けが終わって停止した直後などに、  
自動壁紙糊付機（１）の正面に垂れ下がっている壁紙Aの左側に設けられている正面窓（８）を目視して、糊箱（３）に貯留されている糊Bの液面高さを認識する。
【００５０】
図８（a）は糊箱（３）に貯留されている糊Bの断面図である。
糊Bは、内壁付着糊（E）に示す用に、糊箱（３）の内側の壁面に付着している。
図８（b）は糊箱（３）に貯留されている糊Bを正面から透視した図である。
光源（２３）の第１LED（３８）と第２LED（３９）から照射された光が糊Bの内部に侵入し、糊箱（３）の内壁付着糊（E）部分は光が通過する方向の糊Bの肉厚が薄いので光が減衰しないで透過して明るくなり、
一方、糊箱（３）の底部に貯留されている糊Bの部分は、光が通過する方向の糊Bの肉厚が厚いので照射された光は減衰して暗くなるので、正面窓（８）に投影されている糊Ｂの断面には、糊箱（３）に貯留されている糊Ｂの液面高さの位置よりも上方が明るく、下方が暗くなっており（図８（b）に線分Ｄで示す様に）、糊Ｂの液面高さの位置には光の明暗の境界が顕現される。
作業者は顕現されている光の明暗の境界を糊Bの液面高さと認識する。
【００５１】
また、本発明の自動壁紙糊付機（１）では、糊Bの種類に応じて、パルス幅変調により、第１LED（３８）、および第２LED（３９）の三色の発光ダイオード素子に流す平均電流の割合を変えることにより、光源（２３）の発光色と明るさを変える様にしている。
例えば、使用する糊Bの種類がβノーリNEO（本出願人が販売する糊の商品名）と設定されている場合、演算部（１６）は、赤色発光ダイオード素子に通電する平均電流を４．０mA、緑色発光ダイオード素子に通電する平均電流を４．８mA、青色発光ダイオード素子に通電する平均電流を３．１mAとなるように光源制御部（２２）を駆動させて、エメラルドブルー色の光を照射させる。
正面窓（８）から見た糊Ｂの内壁付着糊Eの部分がエメラルドブルー色に投影され、光の明暗の境界が有色で顕現され、糊Bの液面高さが更に目視しやすくなる。
【００５２】
同様に、糊Bがプロフィット（本出願人が販売する糊の商品名）と設定されている場合、演算部（１６）は、赤色発光ダイオード素子に通電する平均電流を７．４mA、緑色発光ダイオード素子に通電する平均電流を２．２mA、青色発光ダイオード素子に通電する平均電流を１０．８mAとなるように光源制御部（２２）を駆動させて、コバルトブルー色の光を照射すると、内壁付着糊Eの部分がコバルトブルー色に投影され、糊Bの液面高さが更に目視しやすくなる。
【００５３】
このようにして作業者は、正面窓（８）に顕現されている光色の境界が、糊箱（３）の正面窓（８）の制御領域下限高さ位置目盛りよりも下方にあれば、糊不足と判断し、表示操作部（７）の「不足スイッチ（図示せず）」を押し、
また、光色の境界が、糊箱（３）の正面窓（８）の制御領域上限高さ位置目盛りよりも上方にあれば糊過多と判断し、表示操作部（７）の「過多スイッチ（図示せず）」を押すことによって、糊供給装置（図示せず）から供給される糊Bの量を調節して、糊箱（３）に貯留する糊Bの液面高さを制御領域下限高さと制御領域上限高さの間に保ちながら糊付けを行うことができる。
【００５４】
また、糊箱（３）に設ける正面窓（８）と側面窓（９）は円形の窓としてもよい。
【００５５】
また、糊箱（３）の左側面板と正面板を、光が透過する材質のもので構成し、正面全面を正面窓（８）とし、側面全面を側面窓（９）としてもよい。
【００５６】
また、糊箱（３）の正面窓（８）と側面窓（９）は、光が透過する材質のものであれば、赤色、または青色、または緑色などに薄く着色しているものでも支障ない。
【００５７】
また、本発明の自動壁紙糊付機（１）では、βノーリNEO（本出願人が販売する糊の商品名）でもなく、プロフィット（本出願人が販売する糊の商品名）でもない糊Ｂを使用する場合は、光源（２３）の発光色の設定変更を行う機能により設定変更する様にしている。
その方法は、まず、作業者は糊Ｂを糊箱（３）に貯留させて、制御装置（４）の表示操作部（７）の光源（２３）を点灯させるスイッチ（図示せず）を押して光源（２３）を点灯させて、糊箱（３）の正面窓（８）に投影されている糊Ｂの断面を目視しながら、発光色調整スイッチ（図示せず）を押し続けると、制御装置（４）の演算部（１６）は、予め定められた変化パターンにより、赤色発光ダイオード素子に通電する平均電流と緑色発光ダイオード素子に通電する平均電流と青色発光ダイオード素子に通電する平均電流の割合を変化させていくので、作業者は、正面窓（８）に投影されている糊Ｂの断面が、自分が見やすい色になった状態で、発光色調整スイッチ（図示せず）から手を放すと、演算部（１６）は、その時の赤色発光ダイオード素子に通電する平均電流と緑色発光ダイオード素子に通電する平均電流と青色発光ダイオード素子に通電する平均電流を記憶部（１８）に記憶し、次に光源（２３）を点灯させるスイッチ（図示せず）が押された場合には、記憶部（１８）に記憶している電流の割合で光源（２３）を点灯させる。
【００５８】
また、第１LED（３８）と第２LED（３９）の発光色を異なる色に発光させて、例えば、第１LED（３８）を緑色に発光させ、第２LED（３９）を赤色に発光させた場合、
糊Ｂの内壁付着糊Ｅの部分が高い位置にある状態では内壁付着糊Ｅの部分が第１LED（３８）により緑色に染められ、内壁付着糊Ｅの部分が低い位置にある状態では内壁付着糊Ｅの部分が第２LED（３９）により赤色に染められるので、内壁付着糊Ｅの色が緑色なら糊Ｂは十分にあり、赤色なら糊Ｂが不足しそうである、という目安を付けることができる。
このようにする場合の光源制御部（２２）は、図３で示している光源制御部（２２）と同じ回路を１回路追加して、第１LED（３８）を発光させる光源制御部（２２）、と第２LED（３９）を発光させる光源制御部（２２）を設ける。
【符号の説明】
【００５９】
１    自動壁紙糊付機  
２    本体部
３    糊箱
４    制御装置
５    脚部
６    スリッター
７    表示操作部
８    正面窓
９    側面窓
１０  糊上げローラー
１１  送り出しローラー
１２  検尺ローラー
１３  ドクターローラー
１４  糊付けローラー
１５  ナラシローラー
１６  演算部
１７  検尺部
１８  記憶部
１９  モーター制御部
２０  モーター
２１  糊供給装置制御部
２２  光源制御部
２３  光源
２５  本体左側フレーム
２６   糊箱ガイド
２７  制御領域下限高さ位置目盛り
２８  制御領域上限高さ位置目盛り
２９  導光孔
３０  モーターベース
３１  モーター歯車
３２  係止具
３３  光源カバー
３４  光源用ハーネス
３５  モーターベース受け板
３６a  導光孔カバー
３６b  導光孔カバー
３７  下部後方ステー
３８  第１ＬＥＤ
３９  第２ＬＥＤ
４０  光源基板
４１   糊箱受け
４２  制御装置カバー
４３  本体側面カバー
４４  モーターハーネス
４５  光源ハーネスコネクタ
Ａ    壁紙
Ｂ    糊
Ｃ    光軸
Ｄ    光色の境界
Ｅ    内壁付着糊
【図１】
0006731237.tif 000002
【図２】
0006731237.tif 000003
【図３】
0006731237.tif 000004
【図４】
0006731237.tif 000005
【図５】
0006731237.tif 000006
【図６】
0006731237.tif 000007
【図７】
0006731237.tif 000008
【図８】
0006731237.tif 000009
【図９】
0006731237.tif 000010
【図１０】
0006731237.tif 000011